(57)【要約】【課題】手形、小切手等の証券の偽造を効果的に防止する証券管理システムを提供する。【解決手段】証券管理システム１００において、通常では視認不可能な形態により証券に固有な発行番号を券面に印刷すると共に、この証券の全体イメージを発行時の発行イメージとして取得し、発行番号に対応付けて記録しておく。一方、金融機関において回収された証券の全体イメージを回収時の取込イメージとして取得すると共に、視認不可能に印刷された発行番号を回収された証券から読み取り、発行番号に対応付けられる発行イメージを取得する。そして、発行番号に対応付けられた証券の発行イメージ及び取込イメージを同一の表示画面に表示させることにより、回収された証券の照合を行う。【選択図】        図１
2004227379.tif 000002
【特許請求の範囲】
【請求項１】
券面情報を証券に印刷して証券を発行する証券発行手段と、証券のイメージを読み取る証券読取手段とを具備した証券管理システムであって、
特殊印刷材料を用いて、証券に固有な発行番号を視認不可能な形態により券面に印刷する印刷手段と、
前記証券読取手段により、券面情報及び発行番号が印刷された証券の全体イメージを発行イメージとして読み取り、読み取った発行イメージを前記発行番号に対応付けて記録する発行イメージ記録手段と、
回収された証券の全体イメージを取込イメージとして読み取る取込イメージ読取手段と、
回収された証券から特殊印刷材料により印刷された発行番号を読み取る発行番号読取手段と、
前記発行番号読取手段により読み取られた発行番号に基づいて、前記発行イメージ記録手段から発行番号に対応する発行イメージを読み出す読出手段と、
前記取込イメージ読取手段により読み取られた取込イメージと、前記読出手段により読み出された発行イメージとを表示画面に表示させる表示制御手段と、
を備えることを特徴とする証券管理システム。
【請求項２】
前記表示制御手段は、前記取込イメージと、発行イメージとを表示画面に表示させる際に、前記発行番号読取手段により読み取られた発行番号を前記表示画面に表示させることを特徴とする請求項１記載の証券管理システム。
【請求項３】
前記証券に対応する届出印イメージを登録して管理する届出印管理手段を備え、
前記表示制御手段は、前記証券の取込イメージと、発行イメージとを表示画面に表示させる際に、前記取込イメージから取得される印鑑イメージと、前記届出印管理手段に管理されている証券に対応する届出印イメージとを前記表示画面に表示させることを特徴とする請求項１又は２記載の証券管理システム。
【請求項４】
前記発行イメージ記録手段は、発行番号に対応付けて前記証券の振出人に関する顧客情報を記録し、前記発行イメージを記録する際に、発行イメージ、発行番号及び前記顧客情報を対応付けて記録することを特徴とする請求項１から３のいずれか一項に記載の証券管理システム。
【請求項５】
前記取込イメージ読取手段により読み取られた取込イメージを記録する取込イメージ記録手段を備えることを特徴とする請求項１から４のいずれか一項に記載の証券管理システム。
【請求項６】
前記特殊印刷材料は、蛍光トナー、蛍光インクのうち少なくとも１つを含み、
前記発行番号読取手段は、前記特殊印刷材料により印刷された発行番号に所定の波長を有する光を照射して、当該発行番号を読み取ることを特徴とする請求項１記載の証券管理システム。
【発明の詳細な説明】
【０００１】
【発明の属する技術分野】
本発明は、手形、小切手等の証券の発行及び回収を管理する証券管理システムに関するものである。
【０００２】
【従来の技術】
従来、手形や小切手は有価証券であるため、それらが実際に市場で流通する段階、つまり、金融機関によって発行され、顧客によって振り出された段階における不正使用は排除されなくてはならない。したがって、金融機関は、手形や小切手等の証券の発行に際して、改竄や偽造の防止に充分配慮する必要がある。そこで、金融機関の一部においては、不正コピーを抑止するために、手形や小切手に透かし入りの用紙を採用したり、本物であることを証明するためのホログラム・シールを証券に貼付することにより、証券の偽造防止を行っている。
【０００３】
また、証券用紙の底辺部分（クリアバンド）には、ＭＩＣＲ（Ｍａｇｎｅｔｉｃ  Ｉｎｋ  Ｃｈａｒａｃｔｅｒ  Ｒｅｃｏｇｎｉｔｉｏｎ：磁気インキ文字読取用字体）方式により、手形、小切手の券面情報（手形、小切手として成立するための記載必要項目と内容：手形、小切手法にて定められている）として、交換所コード、銀行コード、支店コード、口座番号等が印刷されている（例えば、特許文献１参照）。
【０００４】
一方、証券の回収に際しては、上述した透かしやホログラム・シールの有無、手形、小切手の券面情報とＭＩＣＲ文字の確認、或いは、予め登録されている届出印と証券に押印された印鑑との照合を行うことにより、証券が本物であるか否かを識別していた。
【０００５】
【特許文献１】
特開平１０−２７８３５６号公報
【０００６】
【発明が解決しようとする課題】
しかしながら、上述した透かしやホログラム・シールは、取り扱われる金融機関において同一のものが用いられる場合が多く、固定的な情報であり、第３者が容易に入手可能な情報であるため、模倣が行われやすい。したがって、これらの模倣を防止するため、精巧な透かしやホログラム・シールを採用する必要があり、証券の発行コストが上昇するという問題があった。また、証券に固有な券面情報、ＭＩＣＲ文字、印鑑等の情報であっても、証券に視認可能に記載される情報であるため、第３者に入手された場合に、これらの情報が模倣され、証券が偽造される可能性があった。さらに、透かし、ホログラム・シール、券面情報、印鑑等の照合による真偽判断は、証券の一部一致に基づいて偽造の有無を判別するため、証券の一部を精巧に模倣することにより、証券の偽造が行われてしまう可能性があった。
【０００７】
また、上述した証券の偽造防止方法においては、証券の発行及び回収の工程が分断して行われているため、証券発行時に証券に記載された情報と、証券回収時に証券に記載されている情報とを利用して、証券の真偽判断を行うものではなかった。すなわち、発行時の証券と、回収時の証券との同一性を確実に保証するものではなかった。
【０００８】
本発明の課題は、手形、小切手等の証券の偽造を効果的に防止する証券管理システムを提供することである。
【０００９】
【課題を解決するための手段】
上記課題を解決するために、請求項１記載の発明は、
券面情報を証券に印刷して証券を発行する証券発行手段と、証券のイメージを読み取る証券読取手段とを具備した証券管理システムであって、
特殊印刷材料を用いて、証券に固有な発行番号を視認不可能な形態により券面に印刷する印刷手段と、
前記証券読取手段により、券面情報及び発行番号が印刷された証券の全体イメージを発行イメージとして読み取り、読み取った発行イメージを前記発行番号に対応付けて記録する発行イメージ記録手段と、
回収された証券の全体イメージを取込イメージとして読み取る取込イメージ読取手段と、
回収された証券から特殊印刷材料により印刷された発行番号を読み取る発行番号読取手段と、
前記発行番号読取手段により読み取られた発行番号に基づいて、前記発行イメージ記録手段から発行番号に対応する発行イメージを読み出す読出手段と、
前記取込イメージ読取手段により読み取られた取込イメージと、前記読出手段により読み出された発行イメージとを表示画面に表示させる表示制御手段と、
を備えることを特徴としている。
【００１０】
したがって、証券発行時に読み取られた証券全体の発行イメージと、証券回収時に読み取られた証券全体の取込イメージとを、発行番号に基づいて対応付け、同一の表示画面に表示させることにより、発行時の証券と、回収時の証券を同時に比較して、真偽性を確認することができる。これにより、回収された証券が改竄、偽造された場合であっても、証券に記載された内容を遡及して確認することができる。また、発行時の証券と、回収時の証券の対応付けを特殊印刷材料により印刷した発行番号に基づいて行うため、発行番号は視認不可能となり、偽造防止の仕掛が目立つことなく、偽造防止効果を向上させることができる。さらに、証券の部分一致でなく、全体一致により、証券の真偽性の判断を行うため、証券の改竄や偽造を容易に発見することができる。
【００１１】
【発明の実施の形態】
以下、図を参照して本発明の実施の形態を詳細に説明する。ただし、発明の範囲は、図示例に限定されない。
【００１２】
まず、本実施の形態の構成を説明する。図１は、本発明を適用した証券管理システム１００のシステム構成を示す概念図である。図１に示すように、証券管理システム１００は、証券発行装置１と、証券読取装置２と、イメージ管理サーバ３とから構成される。また、証券発行装置１と、証券読取装置２と、イメージ管理サーバ３とは、インターネット、イントラネット、無線ネットワーク、衛星ネットワーク、ＬＡＮ、ＷＡＮ等からなるネットワークＮを介して接続され、相互にアクセスが可能な構成となっている。
【００１３】
なお、図１では、１つの金融機関内において、証券発行装置１、証券照合装置２、イメージ管理サーバ３が１Ｆｌｏｏｒに設置される場合を想定しているが、これに限らず、本店に設置されたイメージ管理サーバ３と、各支店に設置された複数の証券発行装置１及び証券照合装置２とがネットワークＮを介して接続されることにより、複数の金融機関の間で情報が送受信される構成であっても良い。したがって、ネットワークＮは、情報管理の信頼性の観点から、特定のユーザのみアクセス可能なセキュリティを確保しているネットワークであることが望ましい。また、ネットワークＮは、任意な時に接続が可能であればよく、常時接続されている必要はない。
【００１４】
さらに、図１では、２台の証券発行装置１と、２台の証券照合装置２と、１台のイメージ管理サーバ３とが接続された場合を示しているが、各装置の設置台数はこれに限らず任意である。すなわち、複数台の証券発行装置１及び証券照合装置２をイメージ管理サーバ３に接続し、証券の発行及び照合の処理能力を高めるようにした構成であってもよい。
【００１５】
次に、図２を参照して証券発行装置１の機能的構成について詳細に説明する。図２に示すように、証券発行装置１は、ＣＰＵ１１、表示部１２、入力部１３、伝送制御部１４、ＲＡＭ１５、記憶装置１６、印刷装置１７等から構成され、各部はバス１８により接続されている。
【００１６】
ＣＰＵ（Ｃｅｎｔｒａｌ  Ｐｒｏｃｅｓｓｉｎｇ  Ｕｎｉｔ）１１は、記憶装置１６に格納されている各種制御プログラムを読み出してＲＡＭ１５内に展開し、それらの制御プログラムに従って証券管理装置１の各部を集中制御する。
【００１７】
具体的に、ＣＰＵ１１は、記憶装置１６に格納されている発行データ登録処理プログラム、証券発行処理プログラムに従って、後述する発行データ登録処理（図１１参照）、証券発行処理（図１３参照）を実行する。なお、対応する各処理の詳細については後述する。
【００１８】
表示部１２は、ＣＲＴ（Ｃａｔｈｏｄｅ  Ｒａｙ  Ｔｕｂｅ）やＬＣＤ（Ｌｉｑｕｉｄ  Ｃｒｙｓｔａｌ  Ｄｉｓｐｌａｙ）等によってなる表示画面を備え、ＣＰＵ１１から入力される表示指示に基づいて入力部１３、伝送制御部１４を介して送受信される表示データを画面上に表示する。
【００１９】
入力部１３は、カーソルキー、数字入力キー、及び各種機能キーを備えたキーボードを含み、このキーボードで押下されたキーに対応する押下信号をＣＰＵ１１に出力する。なお、入力部１３は、必要に応じてマウス、タッチパネル等のポインティングデバイスや、その他の入力装置を備えるものとしてもよい。
【００２０】
伝送制御部１４は、モデム（ＭＯＤＥＭ：ＭＯｄｕｌａｔｏｒ／ＤＥＭｏｄｕｌａｔｏｒ  ）またはターミナルアダプタ（ＴＡ：Ｔｅｒｍｉｎａｌ  Ａｄａｐｔｅｒ）等によって構成され、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、あるいはインターネット等の各種ネットワークＮに接続された伝送媒体に接続可能なインターフェイスである。
【００２１】
ＲＡＭ（Ｒａｎｄｏｍ  Ａｃｃｅｓｓ  Ｍｅｍｏｒｙ）１５は、ＣＰＵ１１によって実行される各種プログラムやこれら各種プログラムによって処理されたデータ等を一時的に記憶するワークエリアを形成する。
【００２２】
記憶装置１６は、プログラムやデータ等があらかじめ記憶されている記録媒体（図示せず）を有しており、この記録媒体は磁気的、光学的記録媒体、若しくは半導体メモリで構成されている。この記録媒体は記憶装置１６に固定的に設けられるもの、若しくは着脱自在に装着するものであり、この記録媒体には、前記システムプログラム及び当該システムに対応する各種アプリケーションプログラム、及び各種処理プログラムで処理されたデータ等を記憶する。
【００２３】
また、記録媒体に記憶するプログラム、データ等は、その一部若しくは全部をサーバやクライアント等の他の機器からＷＡＮ、ＬＡＮ等のネットワーク回線の伝送媒体を介して伝送制御部１４から受信して記憶する構成にしてもよく、さらに、記録媒体はネットワーク上に構築されたサーバの記録媒体であってもよい。さらに、前記プログラムをネットワーク回線等の伝送媒体を介してサーバやクライアントへ伝送してこれらの機器にインストールするように構成してもよい。
【００２４】
印刷装置１７は、証券用紙を収納する給紙装置（図示せず）を備え、ＣＰＵ１１による駆動制御に従って、指定された証券用紙に券面情報及び発行番号を印刷し、印刷した券面を排紙出力する。詳細には、蛍光トナー印刷部１７１、黒トナー印刷部１７２、イメージ読取部１７３を備えて構成され、蛍光トナー印刷部１７１は、蛍光トナー又は蛍光インクを用いて、証券の券面に発行番号を印刷する。ここで、蛍光トナー又は蛍光インクは、通常無色透明であるが、紫外線を照射することにより蛍光するものである。この蛍光トナー又は蛍光インクにより印刷された文字や図柄は、普段は視認不可能なものだが、例えば、ブラックライト等の紫外線を当てると、紫外線の光エネルギーを吸収して発光し、視認可能な文字や図柄となって浮かび上がる。
【００２５】
また、黒トナー印刷部１７２は、黒トナー又は磁気トナーを用いて、証券の券面に券面情報又はＭＩＣＲ文字を印刷する。さらに、イメージ読取部１７３は、蛍光トナー印刷部１７１、黒トナー印刷部１７２において印刷された証券のイメージをスキャナ等により読み取り、イメージファイルとして取得する。なお、印刷装置１７の印刷方式としては、レーザ方式、インクジェット方式、ドットインパクト方式、タンデム方式、電子写真方式等の多数の方式が存在するが、これらのうち何れの方式を適用してもよい。
【００２６】
ここで、証券発行装置１により発行される証券について詳細に説明する。証券は通常、証券を複数枚まとめて冊子に製本した形態で顧客に提供することが多い。この冊子は、発行元の金融機関によっても異なるが、例えば表紙、複数枚の証券（本券）、受領書（証券が残り少ないことを通知すると共に新たな証券作成の依頼書を兼ねるもの）、１枚の本券、裏紙の順に綴じられている。表紙、裏紙には白地でミシン目が無い証券用紙が用いられ、受領書には、白地でミシン目が有る証券用紙が用いられる。また、本券には地紋と呼ばれる発行元の金融機関に固有の紋様が印刷された証券用紙が用いられ、ミシン目が入れられている。
【００２７】
図３を参照して本券用の証券用紙について説明する。図３は、一般小切手用の１面タイプの証券用紙例を示す図であり、本券部分のみを示している。図３に示すように、小切手の券面左上端には、蛍光トナー又は蛍光インクを用いて、実際には視認不可能な形態により、発行番号が印刷されている。また、券面上部には、黒トナーにより視認可能な情報として、小切手番号、支払地、銀行名、支店名が印刷され、その右側には、交換所名、交換所番号、銀行番号及び支店番号からなる交換所枠が印刷されている。さらに、券面中央には、金額を記入するための金額欄、振出日を記入するための振出日欄が設けられると共に、振出地、署名鑑が黒トナーにより印刷されている。
【００２８】
また、用紙の底辺部分（クリアバンド）には、交換所規則で規定されたＭＩＣＲ文字が磁気トナーにより印刷されている。このＭＩＣＲ文字は、金融機関や交換所にて、小切手をリーダ・ソータ装置にて機械処理する場合に読み取られる。ＭＩＣＲ文字の部分は、図３に示すように、個別コード、交換所番号、金融機関番号、店番号、口座番号及び小切手番号が印刷され、これらの各々は、シンボルと呼ばれる特殊記号により区切られている。このように、券面上に印刷された項目の一部は、同一内容が、ＭＩＣＲ文字としてクリアバンド部分に印刷されている。
【００２９】
次に、図４を参照して証券照合装置２の機能的構成について説明する。図４に示すように、証券照合装置２は、ＣＰＵ２１、表示部２２、伝送制御部２４、ＲＡＭ２５、記憶装置２６、証券読取装置２７等により構成され、各部はバス２８により接続されている。なお、証券照合装置２の構成部分については、上述した証券発行装置１の各構成部分と略同様の構成によってなるため、対応する構成部分については同列の符号を付し、詳細な説明を省略する。以下では、証券照合装置２に特徴的な構成部分につき説明する。
【００３０】
ＣＰＵ２１は、記憶装置２６に格納されている各種制御プログラムを読み出してＲＡＭ２５内に展開し、それらの制御プログラムに従って証券照合装置２の各部を集中制御する。具体的に、ＣＰＵ２１は、記憶装置２６に格納されている回収証券取込処理プログラム、証券照合処理プログラムに従って、後述する回収証券取込処理（図１４参照）、証券照合処理（図１５参照）を実行する。なお、対応する各処理の詳細については後述する。
【００３１】
証券読取装置２７は、回収された証券の券面に記載された情報を記載形態に応じた方法により読み取る。具体的に、証券読取装置２７は、発行番号読取部２７１、イメージ読取部２７２、ＭＩＣＲ文字読取部２７３により構成される。
【００３２】
発行番号読取部２７１は、発行番号が印刷されている領域にブラックライト等の紫外線を照射することにより、蛍光トナー又は蛍光インクにより印刷されている発行番号を蛍光させて、発行番号を読み取る。イメージ読取部２７２は、回収された証券の全体イメージをスキャナ等により読み取り、イメージファイルとして取得する。さらに、ＭＩＣＲ文字読取部２７３は、ＭＩＣＲ文字を読み取るための磁気的スキャナ等を有しており、回収された証券の券面に印刷されているＭＩＣＲ文字を読み取る。なお、ＣＰＵ２１の制御により、発行番号読取部２７１により読み取られた発行番号と、イメージ読取部２７２により取得されたイメージファイルが合成され、取込イメージファイルが生成される。
【００３３】
ここで、証券照合装置２により読み取られる回収された証券について説明する。図５は、図３に示した証券が回収され、証券読取装置２７により読み取られた場合の取込イメージの一例を示す図である。図５に示すように、取込イメージには、発行番号読取部２７１により読み取られた発行番号が含まれている。また、取込イメージには、小切手番号、支払地、銀行名、支店名、交換所名、交換所番号、銀行番号、支店番号、金額、振出日、振出地、署名鑑、印鑑、ＭＩＣＲ文字等が含まれている。
【００３４】
次に、イメージ管理サーバ３について説明する。なお、イメージ管理サーバ３の構成は、上述した証券発行装置１の各構成部分と略同様の構成によってなるため、対応する構成部分については同列の符号を付し、図示及び詳細な説明を省略する。すなわち、イメージ管理サーバ３は、ＣＰＵ３１、表示部３２、入力部３３、伝送制御部３４、ＲＡＭ３５、記憶装置３６、イメージ管理データベース（以下、「イメージ管理ＤＢ」と記す）３８等を備えて構成され、各部はバス３７により接続されている。
【００３５】
図６を参照して、イメージ管理ＤＢ３８のファイル構成例について説明する。図６に示すように、イメージ管理ＤＢ３８は、顧客管理ファイル３８１、発行管理ファイル３８２、届出印管理ファイル３８３、取込管理ファイル３８４、発行イメージファイル３８５、取込イメージファイル３８６、届出印イメージファイル３８７を備えている。
【００３６】
なお、本発明に記載される発行イメージ記録手段は、例えば、発行管理ファイル３８２、発行イメージファイル３８５により、その機能が実現されるものであり、単数又は複数のファイルにより構成されるものであって良い。また、本発明に記載される取込イメージ記録手段は、例えば、取込イメージファイル３８６により、その機能が実現されるものであり、同様に単数又は複数のファイルにより構成されるものであって良い。
【００３７】
次に、図７〜図１０を参照して、各ファイルのデータ構成例について説明する。図７は、顧客管理ファイル３８１のデータ構成例を示す図である。図７に示すように、顧客管理ファイル３８１は、証券発行装置１において、顧客登録の際に入力された顧客情報を記録するファイルであり、顧客番号、顧客名、印鑑イメージファイル名等を含んでいる。
【００３８】
図８は、発行管理ファイル３８２のデータ構成例を示す図である。図８に示すように、発行管理ファイル３８２は、証券発行装置１により実行される発行データ登録処理において入力された発行データを記録するファイルであり、発行番号、顧客番号、発行券種、発行冊数、発行イメージファイル名等を含んでいる。なお、発行イメージファイル名は、証券発行処理の発行データ更新時に記録される。
図９は、取込管理ファイル３８３のデータ構成例を示す図である。図９に示すように、取込管理ファイル３８３は、証券照合装置２により実行される回収証券取込処理において取得された取込データを記録するファイルであり、取込連番、発行番号、取込イメージファイル名等を含んでいる。
【００３９】
図１０は、届出印管理ファイル３８４のデータ構成例を示す図である。図１０に示すように、届出印管理ファイル３８４は、予め顧客から届出印として登録されている印鑑を管理するための情報を記録するファイルであり、顧客番号、届出印イメージファイル名等を含んでいる。
【００４０】
また、発行イメージファイル３８５は、証券発行装置１により実行される証券発行処理において発行された証券の発行イメージファイルを発行イメージファイル名と共に記録するファイルである。取込イメージファイル３８６は、証券照合装置２により実行される回収証券取込処理において回収された証券の取込イメージファイルを取込イメージファイル名と共に記録するファイルである。さらに、届出印イメージファイル３８７は、予め顧客から届出印として登録されている届出印イメージファイルを届出印イメージファイル名と共に記録するファイルである。
【００４１】
次に、本実施の形態の動作を説明する。
後述する各フローチャートに記述されている各機能を実現するためのプログラムは読み取り可能なプログラムコードの形態で証券発行装置１又は証券照合装置２の記録媒体に格納されており、証券発行装置１のＣＰＵ１１又は証券照合装置２のＣＵＰ２１は、該プログラムコードに従った動作を逐次実行する。また、ＣＰＵ１１又はＣＰＵ２１は、伝送媒体を介して伝送される上記プログラムコードに従った動作を逐次実行することもできる。すなわち、記録媒体の他、伝送媒体を介して外部供給されたプログラムまたはデータを利用して本実施の形態特有の動作を実行することも可能である。
【００４２】
図１１を参照して、証券発行装置１のＣＰＵ１１により実行される発行データ登録処理について説明する。図１１に示すように、ＣＰＵ１１は、入力部１３を介して、オペレータから発行データの登録を行う指示が入力されると、表示部１２に発行データ登録画面１２１を表示させる（ステップＳ１）。
【００４３】
ここで、図１２を参照してステップＳ１において表示部１２に表示される発行データ登録画面１２１について説明する。図１２に示すように、発行データ登録画面１２１には、顧客番号を入力するための顧客番号入力領域１２１ａ、入力された顧客番号に対応する顧客名を表示するための顧客名表示領域１２１ｂ、発行券種を入力するための発行券種入力領域１２１ｃ、入力された発行券種名を表示するための発行券種名表示領域１２１ｄ、発行冊数を入力するための発行冊数入力領域１２１ｅが設けられている。
【００４４】
顧客番号入力領域１２１ａには、「００１００００００１」が入力され、顧客番号表示領域１２１ｂには、入力された顧客番号に対応する顧客名として顧客管理ファイル３８１から取得された「吉田運送」が表示されている。発行券種入力領域には、発行券種の種別を示す「１」が入力され、発行券種名表示領域１２１ｄには、対応する発行券種名として「手形」が表示されている。さらに、発行冊数入力領域１２１ｅには、発行冊数として「２」が入力されている。
【００４５】
図１１に戻り、発行データ登録画面１２１において、入力部１３を介して顧客番号、発行券種（手形・小切手）、発行冊数が入力されると（ステップＳ２〜Ｓ４）、ＣＰＵ１１は、発行番号を生成する（ステップＳ５）。そして、ＣＰＵ１１は、発行管理ファイル３８２に新しいレコードを生成し、生成された発行番号に対応付けて、入力された顧客番号、発行券種、発行冊数を発行データとして記録する（ステップＳ６）。そして、ＣＰＵ１１は、発行データ登録処理を終了し、証券発行処理に移行する。
【００４６】
図１３を参照して、証券発行装置１のＣＰＵ１１により実行される証券発行処理について説明する。図１３に示すように、ＣＰＵ１１は、発行管理ファイル３８１から証券未発行の発行データを読み込み（ステップＳ１１）、証券の券面に印刷するための券面情報を生成する（ステップＳ１２）。ここで、券面情報は、小切手番号、支払地、銀行名、支店名、交換所名、交換所番号、銀行番号、支店番号、金額、振出日、振出地、署名鑑、印鑑、ＭＩＣＲ文字等を含むデータである。
【００４７】
次いで、ＣＰＵ１１は、印刷装置１７の黒トナー印刷部１７２を制御して、黒トナー又は磁気トナーにより券面情報を券面に印刷する（ステップＳ１３）。続いて、ＣＰＵ１１は、印刷装置１７の蛍光トナー印刷部１７１を制御して、蛍光トナーにより発行番号を券面に印刷する（ステップＳ１４）。さらに、ＣＰＵ１１は、印刷装置１７のイメージ読取部１７３を制御して、印刷済みの証券の全体イメージ画像を読み取る（ステップＳ１５）。
【００４８】
続いて、ＣＰＵ１１は、イメージ読取部１７３により読み取った券面の全体イメージを発行イメージファイルとして取得する。次いで、ＣＰＵ１１は、取得した発行イメージファイルのファイル名を生成し、発行管理ファイル３８１の対応するレコードに発行イメージファイル名を記録させ、発行管理ファイル３８１を更新する（ステップＳ１６）。さらに、ＣＰＵ１１は、発行イメージファイル名及び発行イメージファイルを発行イメージファイル３８５に記録させる（ステップＳ１７）。
【００４９】
続いて、ＣＰＵ１１は、発行した証券が発行すべき最終冊数の最終頁であるか否かを判別し（ステップＳ１８）、発行すべき最終冊数の最終頁でない場合（ステップＳ１８；ＮＯ）、すなわち、発行すべき証券用紙が残っている場合、ＣＰＵ１１は、図１１に示す発行データ登録処理のステップＳ５に移行して、上述したステップＳ５及びステップＳ６の処理を繰り返し実行し、再び図１３に示す証券発行処理のステップＳ１１に戻る。一方、発行した証券が発行すべき最終冊数の最終頁である場合（ステップＳ１８；ＹＥＳ）、ＣＰＵ１１は、本証券発行処理を終了する。
【００５０】
次に、顧客により振り出された証券が金融機関において回収された場合に、証券照合装置２のＣＰＵ２１により実行される回収証券取込処理について図１４を参照して説明する。図１４に示すように、顧客により振り出された証券が回収されると、オペレータの指示により、証券照合装置２は、回収された証券の取り込みを行う（ステップＳ２１）。すなわち、ＣＰＵ２１は、証券読取装置２７のイメージ読取部２７２を制御して回収された証券の全体イメージを取り込む。次いで、ＣＰＵ１１は、発行番号読取部２７１を制御して、証券にブラックライト等の紫外線を照射させ、蛍光トナーで印刷された発行番号を蛍光させ、発行番号のイメージ画像を取り込む。さらに、ＣＰＵ２１は、証券の全体イメージと、発行番号のイメージ画像とを合成して、取込イメージファイルを生成する。
【００５１】
次いで、ＣＰＵ２１は、回収された証券から読み込んだ取込イメージファイルに対応する取込連番を生成し（ステップＳ２２）、取込イメージファイル名を生成する（ステップＳ２３）。続いて、ＣＰＵ２１は、取込イメージファイルから発行番号を読み込み（ステップＳ２４）、取込連番、発行番号、取込イメージファイル名を取込データとして取込管理ファイル３８３に記録する（ステップＳ２５）。さらに、ＣＰＵ２１は、取込イメージファイル及び取込イメージファイル名を取込イメージファイル３８６に記録して、本回収証券取込処理を終了する。
【００５２】
次に、回収された証券の照合を行う場合に、証券照合装置２のＣＰＵ２１により実行される回収証券照合処理について図１５を参照して説明する。図１５に示すように、ＣＰＵ２１は、取込管理ファイル３８４から１レコード分の取込データを読み込み（ステップＳ３１）、取込データに含まれる発行番号に基づいて、発行管理ファイル３８１から発行データを検索する（ステップＳ３２）。ここで、発行管理ファイル３８１に発行番号に対応する発行データが記録されていない場合（ステップＳ３３；ＮＯ）、ＣＰＵ２１は、証券が偽造されている可能性があると判断して、証券の確認を促すメッセージを表示部１２に表示させ（ステップＳ３４）、本回収証券照合処理を終了する。
【００５３】
一方、発行管理ファイル３８１から発行番号に対応する発行データが取得された場合（ステップＳ３３；ＹＥＳ）、ＣＰＵ２１は、取込データに含まれる取込イメージファイル名に基づいて、取込イメージファイル３８６から対応する取込イメージファイルを取得し、表示部１２に表示させる（ステップＳ３５）。次いで、ＣＰＵ２１は、取込イメージファイルに含まれる印鑑のイメージ画像を切り出して、回収された証券に押印された印鑑イメージを表示部１２に表示させる（ステップＳ３６）。
【００５４】
さらに、ＣＰＵ２１は、発行データに含まれる発行イメージファイル名に基づいて、発行イメージファイル３８５から対応する発行イメージファイルを取得し、表示部１２に表示させる（ステップＳ３７）。続いて、ＣＰＵ２１は、発行データに含まれる顧客番号を取得し、取得した顧客番号に基づいて、届出印管理ファイル３８４から対応する届出印イメージファイル名を取得する。そして、ＣＰＵ２１は、この届出印イメージファイル名に基づいて、届出印イメージファイル３８７から、届出印イメージファイルを取得し、表示部１２に表示させる（ステップＳ３８）。
【００５５】
さらに、ＣＰＵ２１は、ステップＳ３７で表示させた発行イメージファイルと、ステップＳ３５で表示させた取込イメージファイルとを重ね合わせて証券照合イメージとして表示し、証券のイメージ照合処理を行う（ステップＳ３９）。また、ＣＰＵ１１は、ステップＳ３８で表示させた届出印イメージファイルと、ステップＳ３６で表示させた印鑑イメージとを重ね合わせて印鑑照合イメージとして表示し、印鑑のイメージ照合処理を行う（ステップＳ４０）。ここで、ＣＰＵ２１は、イメージ照合処理として、表示されている証券照合イメージ、印鑑照合イメージについて黒ドットの照合率を算出し、照合率を表示すると共に、照合率が所定の割合を下回る場合、警告を表示する。そして、ＣＰＵ２１は、本回収証券照合処理を終了する。
【００５６】
次に、上述したステップＳ３５〜Ｓ４０において表示される照合画面の表示例について図１６を参照して説明する。図１６は、回収証券照合処理において、表示部２２に表示される照合画面１２２の一例を示す図である。図１６に示すように、照合画面１２２には、照合を行う証券の発行番号を表示する発行番号表示領域１２２ａが設けられ、その下側には、照合を行う証券の発行時の全体イメージを表示する発行イメージファイル表示領域１２２ｂ、照合を行う証券の回収時の全体イメージを表示する取込イメージファイル表示領域１２２ｃ、発行イメージファイルと取込イメージファイルを重ね合わせた全体イメージを表示する証券照合イメージ表示領域１２２ｃが設けられている。
【００５７】
さらに、その下側には、予め届出印として登録されている印鑑のイメージを表示する届出印イメージファイル表示領域１２２ｅ、取込イメージファイルから印鑑部分を切り出した印鑑イメージを表示する印鑑イメージファイル表示領域１２２ｆ、届出印イメージファイルと印鑑イメージファイルを重ね合わせたイメージを表示する印鑑照合イメージ表示領域１２２ｇが設けられている。
【００５８】
これにより、オペレータは、照合画面１２２に表示された発行イメージファイル、取込イメージファイル、証券照合イメージ、届出印イメージファイル、印鑑イメージファイル、印鑑照合イメージを目視にて比較、確認することにより、証券の真偽性を容易に判断することができる。
【００５９】
以上のように、本実施の形態の証券管理システム１００によれば、例えば蛍光トナー又は蛍光インクを用いて、通常では視認不可能な形態により証券に固有な発行番号を券面に印刷すると共に、この証券の全体イメージを発行時の発行イメージとして取得し、発行番号に対応付けて記録しておく。一方、金融機関において回収された証券の全体イメージを回収時の取込イメージとして取得すると共に、視認不可能に印刷された発行番号を回収された証券から読み取り、発行番号に対応付けられる発行イメージを取得する。そして、発行番号に対応付けられた証券の発行イメージ及び取込イメージを同一の表示画面に表示させることにより、回収された証券の照合を行う。
【００６０】
これにより、発行時の証券の内容と、回収時の証券の内容を容易に比較して、改竄、偽造の有無を確認することができ、真偽性の判断を的確に行うことができる。また、証券照合装置２は、発行イメージ及び取込イメージを同一の表示画面に表示させると共に、両者を重ね合わせた証券照合イメージを表示させるため、両者の相違を一見して把握することができ、照合の精度を向上させると共に、改竄、偽造の有無を速やかに発見することができる。
【００６１】
また、証券を発行する工程と、証券を回収する工程が発行番号により対応付けられるため、証券に記載された内容を遡及して確認することができ、容易に証券の改竄、偽造を発見することができる。また、証券に印刷される発行番号が蛍光トナーにより印刷されるため、通常では視認不可能となり、偽造防止の仕掛を見破られることなく、効果的な偽造防止システムを運用することができる。さらに、発行番号は、通常視認不可能であるため、コピー等により複製することができず、証券の偽造を抑止することができる。
【００６２】
また、証券照合装置２は、証券の全体イメージだけでなく、予め登録された届出印イメージと、取込イメージから取得される回収された証券に押印された印鑑イメージとを同一の表示画面に表示させるため、印鑑に基づく証券の真偽性を確認することができ、より堅固な偽造防止のシステムを達成することができる。また、証券照合装置２は、届出印イメージと印鑑イメージとを重ねさわせた印鑑照合イメージを表示させるため、一見して偽造の有無を判断することができる。
【００６３】
さらに、精巧な透かしやホログラム・シールを必要せずに、セキュリティ効果の高い証券を提供することができるため、証券発行に係るコストを押さえて、システム運用の低廉化を図ることができる。また、堅牢な偽造防止システムを確立することにより、顧客の信頼度が増大されると共に、高品質な証券取引サービスを提供することができる。或いは、発行イメージファイルや取込イメージファイルは、電子データにより取り扱われるため、将来的に電子交換所等が実現された場合にシステムの拡張性が高い。
【００６４】
なお、本実施の形態における記述は、本発明に係る好適な証券管理システム１００の一例であり、これに限定されるものではない。
例えば、証券に固有な発行番号は、複数の数字の組み合わせにより生成する情報を例として説明を行ったが、これに限らず、文字、記号、図形或いはこれらの組み合わせにより生成される情報であっても良い。
【００６５】
また、本実施の形態においては、証券発行装置１と証券照合装置２とが別体により構成される場合を例として説明を行ったが、証券発行装置１と証券照合装置２とを同一のコンピュータシステムとして構成するものとしてもよい。
【００６６】
その他、本実施の形態における証券発行装置１、証券照合装置２、イメージ管理サーバ３の細部構成、及び詳細動作に関しては、本発明の趣旨を逸脱しない範囲で適宜変更可能であることはもちろんである。
【００６７】
【発明の効果】
本発明によれば、証券発行時に読み取られた証券全体の発行イメージと、証券回収時に読み取られた証券全体の取込イメージとを、発行番号に基づいて取得させ、同一の表示画面に表示させることにより、発行時の証券と、回収時の証券を同時に比較して、真偽を確認することができる。また、回収された証券が改竄、偽造された場合であっても、証券に記載された内容を遡及して確認することができる。また、発行時の証券と、回収時の証券の対応付けを特殊印刷材料により印刷した発行番号に基づいて行うため、発行番号は視認不可能となり、偽造防止の仕掛が目立つことなく、偽造防止効果を向上させることができる。さらに、証券の部分一致でなく、全体一致により、証券の真偽性の判断を行うため、証券の改竄や偽造を容易に発見することができる。
【図面の簡単な説明】
【図１】本発明を適用した実施の形態における証券管理システム１００のシステム構成を示す概念図である。
【図２】図１に示す証券発行装置１の機能的構成を示すブロック図である。
【図３】図２に示す印刷装置１７により印刷された証券用紙例を示す図である。
【図４】図１に示す証券照合装置２の機能的構成を示すブロック図である。
【図５】図４に示す証券読取装置２７により読み取られた証券用紙の取込イメージの例を示す図である。
【図６】図１に示すイメージ管理データベースのファイル構成例を示す図である。
【図７】図６に示す顧客管理ファイル３８１のデータ構成例を示す図である。
【図８】図６に示す発行管理ファイル３８２のデータ構成例を示す図である。
【図９】図６に示す届出印管理ファイル３８３のデータ構成例を示す図である。
【図１０】図６に示す取込管理ファイル３８４のデータ構成例を示す図である。
【図１１】図２のＣＰＵ１１により実行される発行データ登録処理を示すフローチャートである。
【図１２】図２の表示部１２に表示される発行データ登録画面１２１の一例を示す図である。
【図１３】図２のＣＰＵ１１により実行される証券発行処理を示すフローチャートである。
【図１４】図４のＣＰＵ２１により実行される回収証券取込処理を示すフローチャートである。
【図１５】図４のＣＰＵ２１により実行される回収証券照合処理を示すフローチャートである。
【図１６】図４の表示部２２に表示される照合画面１２２の一例を示す図である。
【符号の説明】
１    証券発行装置
２    証券照合装置
３    イメージ管理サーバ
１１、２１、３１    ＣＰＵ
１２、２２、２３    表示部
１３、２３、３３    入力部
１４、２４、３４    伝送制御部
１５、２５、３５    ＲＡＭ
１６、２６、３６    記録装置
１７    印刷装置
２７    証券読取装置
３８    イメージ管理データベース
１００    証券管理システム
Ｎ    ネットワーク
【図１】
2004227379.tif 000003
【図２】
2004227379.tif 000004
【図３】
2004227379.tif 000005
【図４】
2004227379.tif 000006
【図５】
2004227379.tif 000007
【図６】
2004227379.tif 000008
【図７】
2004227379.tif 000009
【図８】
2004227379.tif 000010
【図９】
2004227379.tif 000011
【図１０】
2004227379.tif 000012
【図１１】
2004227379.tif 000013
【図１２】
2004227379.tif 000014
【図１３】
2004227379.tif 000015
【図１４】
2004227379.tif 000016
【図１５】
2004227379.tif 000017
【図１６】
2004227379.tif 000018